(57)【要約】【課題】容易に手を掛けて持ち上げることができると共に手が荷物に接触することを防ぐことができ、従来より強度が高い折畳コンテナーを提供する。【解決手段】本発明の折畳コンテナー１０は、四角形の底壁３０の各外縁部に１対の第１側壁１１，１１と１対の第２側壁２１，２１とを回動可能に連結して備え、第１と第２の側壁１１，２１を起立させた組立状態と、１対の第１側壁１１，１１を底壁３０上に折り畳んでから、それらの上に１対の第２側壁２１，２１を折り畳んだ折畳状態とに変更することができる。そして、各第１側壁１１にハンドル５０が回動可能に取り付けられ、そのハンドル５０が第１側壁１１の外面に重ねられた不使用状態と、第１側壁１１の外面から起こされた使用状態とに変更することができるようになっている。【選択図】図１
2015051775.tif 000002
【特許請求の範囲】
【請求項１】
四角形の底壁の各外縁部に側壁がそれぞれ回動可能に連結され、それら側壁を前記底壁から起立させた組立状態と、互いに対向した１対の側壁を前記底壁上に重ねて折り畳んでから、それら側壁の上に残りの１対の側壁を重ねて折り畳んだ折畳状態とに変更可能な折畳コンテナーにおいて、
前記側壁に上端部を回動可能に取り付けられ、前記側壁の外面に重ねられた不使用状態と、前記側壁の外面から起こされた使用状態とに変更可能なハンドルを備えたことを特徴とする折畳コンテナー。
【請求項２】
前記側壁の外面から突出すると共に前記ハンドルの両側に位置し、前記不使用状態の前記ハンドルを間に受容する１対のハンドルサイドリブを備えたことを特徴とする請求項１に記載の折畳コンテナー。
【請求項３】
前記ハンドルの上端部から両側方に突出した１対の回動軸突部と、
前記１対のハンドルサイドリブに形成され、前記１対の回動軸突部を回動可能に受容した１対の支持孔と、
前記側壁の外面から突出すると共に、前記１対のハンドルサイドリブのうち前記１対の支持孔の開口縁から前記ハンドルと反対側にそれぞれ延びた１対の補強リブとを備えたことを特徴とする請求項２に記載の折畳コンテナー。
【請求項４】
前記組立状態で隣り合った前記側壁同士が係合するように構成され、
前記組立状態から先に折り畳まれる１対の前記側壁の外面には、上端部の横方向における中央に前記側壁同士の係合を解除するためのロック解除操作部が設けられ、
前記ハンドルは、各前記ロック解除操作部の真下に配置されたことを特徴とする請求項１乃至３の何れか１の請求項に記載の折畳コンテナー。
【請求項５】
前記ハンドルの下端部には、前記側壁の外面から離れるに従って下方に向かうように傾斜した下端ガイド面が形成されたことを特徴とする請求項１乃至４の何れか１の請求項に記載の折畳コンテナー。
【発明の詳細な説明】
【技術分野】
【０００１】
本発明は、四角形の底壁の各外縁部に側壁がそれぞれ回動可能に連結され、それら側壁を底壁から起立させた組立状態と底壁上に折り畳んだ折畳状態とに変更可能な折畳コンテナーに関する。
【背景技術】
【０００２】
従来、この種の折畳コンテナーとして、容易に手を掛けて持ち上げ可能とするために、側壁に手差孔を貫通形成したものが知られている（例えば、特許文献１参照）。
【先行技術文献】
【特許文献】
【０００３】
【特許文献１】特開２００３−２１２２３３号公報（図２参照）
【発明の概要】
【発明が解決しようとする課題】
【０００４】
しかしながら、上記した従来の折畳コンテナーでは、手差孔を備えたことで側壁の強度が低下し、大きな負荷に対して組立状態に維持することが困難になることがあった。また、手差孔に挿入した手が折畳コンテナー内の荷物と接触して手で荷物（例えば、食品）を傷つけたり、手を荷物（例えば、機械部品）によって傷つけるような事態が生じ得た。
【０００５】
本発明は、上記事情に鑑みてなされたもので、容易に手を掛けて持ち上げることができると共に手が荷物に接触することを防ぐことができ、従来より強度が高い折畳コンテナーの提供を目的とする。
【課題を解決するための手段】
【０００６】
上記目的を達成するためになされた請求項１の発明に係る折畳コンテナーは、四角形の底壁の各外縁部に側壁がそれぞれ回動可能に連結され、それら側壁を底壁から起立させた組立状態と、互いに対向した１対の側壁を底壁上に重ねて折り畳んでから、それら側壁の上に残りの１対の側壁を重ねて折り畳んだ折畳状態とに変更可能な折畳コンテナーにおいて、側壁に上端部を回動可能に取り付けられ、側壁の外面に重ねられた不使用状態と、側壁の外面から起こされた使用状態とに変更可能なハンドルを備えたところに特徴を有する。
【０００７】
請求項２の発明は、請求項１に記載の折畳コンテナーにおいて、側壁の外面から突出すると共にハンドルの両側に位置し、不使用状態のハンドルを間に受容する１対のハンドルサイドリブを備えたところに特徴を有する。
【０００８】
請求項３の発明は、請求項２に記載の折畳コンテナーにおいて、ハンドルの上端部から両側方に突出した１対の回動軸突部と、１対のハンドルサイドリブに形成され、１対の回動軸突部を回動可能に受容した１対の支持孔と、側壁の外面から突出すると共に、１対のハンドルサイドリブのうち１対の支持孔の開口縁からハンドルと反対側にそれぞれ延びた１対の補強リブとを備えたところに特徴を有する。
【０００９】
請求項４の発明は、請求項１乃至３の何れか１の請求項に記載の折畳コンテナーにおいて、組立状態で隣り合った側壁同士が係合するように構成され、組立状態から先に折り畳まれる１対の側壁の外面には、上端部の横方向における中央に側壁同士の係合を解除するためのロック解除操作部が設けられ、ハンドルは、各ロック解除操作部の真下に配置されたところに特徴を有する。
【００１０】
請求項５の発明は、請求項１乃至４の何れか１の請求項に記載の折畳コンテナーにおいて、ハンドルの下端部には、側壁の外面から離れるに従って下方に向かうように傾斜した下端ガイド面が形成されたところに特徴を有する。
【発明の効果】
【００１１】
［請求項１の発明］
請求項１の折畳コンテナーの側壁には、ハンドルが回動可能に取り付けられている。そのハンドルは、側壁の外面に重ねることができるので、折畳コンテナーを折り畳む際に邪魔にならない。また、ハンドルを側壁の外面から起こせば、容易に手を掛けることができ、これにより折畳コンテナーの持ち上げ作業が容易になる。さらに、ハンドルを備えたことで、従来の折畳コンテナーの手差孔に相当する貫通孔を側壁に設けずに済み、折畳コンテナーの強度が高くなると共に手が荷物に接触することを防ぐことができる。また、折畳コンテナーを折畳状態から組立状態にする際にハンドルを使用することで、折り畳まれている側壁を容易に起こすことができる。
【００１２】
［請求項２の発明］
請求項２の折畳コンテナーでは、不使用状態のハンドルが、側壁の外面から突出した１対のハンドルサイドリブの間に収まって保護されるので、ハンドルの破損や変形が防がれる。
【００１３】
［請求項３の発明］
請求項３の折畳コンテナーでは、ハンドルサイドリブのうちハンドルの回動軸突部を受容する支持孔の開口縁から補強リブが延びていてハンドルサイドリブを補強しているのでハンドルの支持が安定する。また、ハンドルサイドリブと補強リブとによって側壁が補強されて変形し難くなるので、この点においても、ハンドルの支持が安定する。
【００１４】
［請求項４の発明］
請求項４の折畳コンテナーでは、ロック解除操作部の真下にハンドルが配置されているので、誤ってロック解除操作部に手を掛けて折畳コンテナーを持ち上げるような事態が防がれ、ロック解除操作部の変形や誤操作が防がれる。
【００１５】
［請求項５の発明］
請求項５の折畳コンテナーでは、不使用状態のハンドルと側壁との間に下方から手を差し込むだけで、ハンドルの下端ガイド面と手との摺接によってハンドルが回動する。これにより、ハンドルを不使用状態から使用状態に容易に変更することができ、容易にハンドルに手を掛けることができる。
【図面の簡単な説明】
【００１６】
【図１】本発明の第１実施形態に係る折畳コンテナーの組立状態の斜視図
【図２】折畳コンテナーを折り畳む途中の状態の斜視図
【図３】折畳コンテナーを折り畳む途中の状態の斜視図
【図４】第２側壁の一部拡大斜視図
【図５】第１側壁の正面図
【図６】（Ａ）ハンドルの表側の斜視図，（Ｂ）ハンドルの裏側の斜視図
【図７】ハンドルの上端部の正面図
【図８】第１側壁のハンドルを外した状態の斜視図
【図９】第１側壁のうち支持孔の周辺部分の一部破断斜視図
【図１０】第１側壁のうちハンドルと連結部分の一部破断斜視図
【図１１】第１側壁の一部破断斜視図
【図１２】ハンドルが持ち上げられた状態の折畳コンテナーの斜視図
【図１３】折畳状態から組立状態にする途中の折畳コンテナーの斜視図
【図１４】第２実施形態の折畳コンテナーの斜視図
【図１５】ハンドルが持ち上げられた状態の折畳コンテナーの斜視図
【図１６】（Ａ）ハンドルの表側の斜視図，（Ｂ）ハンドルの裏側の斜視図
【図１７】折畳コンテナーの変形例を示した断面図
【発明を実施するための形態】
【００１７】
［第１実施形態］
以下、本発明の一実施形態を図１〜図１３に基づいて説明する。図１に示すように、本実施形態に係る折畳コンテナー１０は、上面が開放しかつ平面形状が長方形の箱状になっていて、底壁３０における１対の短辺側の外縁部に１対の第１側壁１１，１１が回動可能に連結されると共に、底壁３０における１対の長辺側の外縁部に１対の第２側壁２１，２１が回動可能に連結されている。そして、折畳コンテナー１０は、第１及び第２の側壁１１，２１を底壁３０から起立させた組立状態（図１参照）と、その組立状態から図２に示すように１対の第１側壁１１，１１を底壁３０の上に折り畳んでから、それら第１側壁１１，１１の上に１対の第２側壁２１を折り畳んだ折畳状態（図３参照）とに変更することができる。
【００１８】
詳細には、図２に示すように、底壁３０における１対の短辺側の外縁部からは、１対の第１側壁支持突部３１，３１が上方に突出し、１対の長辺側の外縁部からは、１対の第２側壁支持突部３２，３２が上方に突出している。また、第１及び第２の側壁支持突部３１，３２には、それぞれの長手方向に間隔を空けて複数のアーム受容部３５が形成されている。各アーム受容部３５は、第１及び第２の側壁支持突部３１，３２の上面と内面とに開口し、上面開口が内面開口に比べて開口幅が広くなっている。また、アーム受容部３５の内側上端部には、内面開口を挟んだ両側に図示しない抜け止め突起が形成されている。
【００１９】
第１及び第２の側壁１１，２１の下端面には、各アーム受容部３５に対応させて図５に示したヒンジアーム２３が複数備えられている。ヒンジアーム２３は、第１又は第２の側壁１１，２１の下端面から垂下したアーム本体２３Ｈと、そのアーム本体２３Ｈの下端部両側面から突出した１対のヒンジピン２３Ｐ，２３Ｐとからなる。そして、ヒンジピン２３Ｐ，２３Ｐがアーム受容部３５の上面開口から内部に受容されかつ、上述した図示しない抜け止め突起によって抜け止めされている。
【００２０】
これにより、第１及び第２の側壁１１，２１が、底壁３０の第１及び第２の側壁支持突部３１，３２に回動可能に連結され、第１及び第２の側壁支持突部３１，３２の上に直立した起立姿勢と、底壁３０の上に倒した折畳姿勢とに変更することができる。また、図２に示すように、第２側壁支持突部３２は、第１側壁支持突部３１より上方に高く突出しいて、第１側壁１１の回動中心より第２側壁２１の回動中心の方が上方に配置されている。これにより、前述したように第２側壁２１，２１を第１側壁１１，１１の上に重ねて折り畳むことができる。
【００２１】
なお、第１側壁１１，１１の高さは、底壁３０の長辺の１／２以下になっていると共に、第２側壁２１，２１の高さは、底壁３０の短辺の１／２以下になっている。これにより、本実施形態の折畳コンテナー１０では、折畳状態で第１側壁１１，１１同士は互いに重なり合わず、同様に第２側壁２１，２１同士も互いに重なり合わない。
【００２２】
各第２側壁２１の両側縁部からは、第１側壁１１，１１側に向かって１対のサイド突壁２２，２２が突出している。各サイド突壁２２は、第２側壁２１の上端部から下端寄り位置まで延びた帯板状をなし、各サイド突壁２２における長手方向の複数位置には、連結孔２２Ａが貫通形成されている。
【００２３】
第１側壁１１の外面からは、両側縁に沿った複数位置から連結孔２２Ａに対応した複数の連結突部１２Ａが突出している。そして、図１に示すように折畳コンテナー１０が組立状態になると、各第１側壁１１が１対の第２側壁２１，２１に間に挟まって、それら第２側壁２１，２１が内側に倒れることを規制し、サイド突壁２２が第１側壁１１の側縁部に外側から重なって第１側壁１１が外側に倒れることを規制し、さらに、サイド突壁２２の連結孔２２Ａに第１側壁１１の連結突部１２Ａが凹凸係合して、第２側壁２１が外側に倒れることを規制する。
【００２４】
また、図２に示すように、各サイド突壁２２のうち第１側壁１１側を向いた面の上端寄り位置からは、門形突部２４が突出している。門形突部２４は、図４に拡大して示すように、サイド突壁２２から突出した１対の脚部２４Ａ，２４Ａを上下に並べ、それら脚部２４Ａ，２４Ａの先端間を先端連絡部２４Ｂで連絡した門形構造をなしている。そして、第１側壁１１に備えた後述するロック係合部４０Ｔ（図５参照）が、門形突部２４内に側方から凹凸係合することで、起立姿勢の第１側壁１１が内側に倒れることを規制し、これにより折畳コンテナー１０全体が組立状態にロックされる。
【００２５】
図１に示すように、第１及び第２の側壁１１，２１の外面からはリブ１１Ｌ，２１Ｌが突出している。リブ１１Ｌ，２１Ｌは、第１及び第２の側壁１１，２１の外縁部全体に配置されると共に、横方向に延びたリブ１１Ｌ，２１Ｌが第１及び第２の側壁１１，２１の上寄りに偏在し、さらに縦方向に延びたリブ１１Ｌ，２１Ｌが第１及び第２の側壁１１，２１の横方向における複数位置に散在している。なお、第１及び第２の側壁１１，２１の下縁部に配置されたリブ１１Ｌ，２１Ｌの下面は、それら第１及び第２の側壁１１，２１の下面に相当し、そこから前述したヒンジアーム２３群が突出している。
【００２６】
第１側壁１１のリブ１１Ｌの構造の詳細は、以下のようになっている。即ち、第１側壁１１の横方向の中心から左右に同距離だけ離れた２位置には、本発明に係る１対のハンドルサイドリブ１３，１３が左右対称に設けられている。各ハンドルサイドリブ１３は、上下方向に延び、第１側壁１１の上端寄り位置に分断部１３Ａを有し、その分断部１３Ａ以外は第１側壁１１の上下方向の全体に亘って連続して延びている。
【００２７】
第１側壁１１の横方向の両端部から僅かに内側にずれた位置には、第１側壁１１の上下方向の全体に亘って連続して延びたメインサイドリブ１４，１４が備えられている。そして、第１側壁１１のうちメインサイドリブ１４，１４より外側部分に前記した第２側壁２１のサイド突壁２２，２２が重ねられる。また、第１側壁１１のうちサイド突壁２２が重ねられる部分からは、図５に示したサブサイドリブ１５がメインサイドリブ１４より低く突出している。なお、サブサイドリブ１５は、第１側壁１１の上下方向においてハンドルサイドリブ１３の分断部１３Ａと同じ位置で分断されている。
【００２８】
第１側壁１１の上端及び下端と、分断部１３Ａの下側近傍位置とには、１対のメインサイドリブ１４，１４の間を連絡するように連続して延びた上端横リブ１６Ａ，下端横リブ１６Ｃ、中間横リブ１６Ｂが備えられている。また、第１側壁１１の上下方向における中央より上側には、左右の両側のハンドルサイドリブ１３とメインサイドリブ１４との間にそれぞれ第１〜第３のサブ横リブ１７Ａ〜１７Ｃが設けられている。それらのうち第１のサブ横リブ１７Ａは、ハンドルサイドリブ１３の分断部１３Ａに対する上側近傍位置に配置され、第２のサブ横リブ１７Ｂは、中間横リブ１６Ｂの下方に配置され、その第２のサブ横リブ１７Ｂの下方に第３のサブ横リブ１７Ｃが配置されている。なお、中間横リブ１６Ｂとその下の第２のサブ横リブ１７Ｂとの間隔と、第２のサブ横リブ１７Ｂとその下の第３のサブ横リブ１７Ｃとの間隔とは、略同一になっている。
【００２９】
上端横リブ１６Ａと、左右両側の第３のサブ横リブ１７Ｃ，１７Ｃとの間には、それぞれ第１と第２のサブ縦リブ１８Ａ，１８Ｂが形成されている。第１のサブ縦リブ１８Ａは、メインサイドリブ１４寄りに配置されて、上端横リブ１６Ａと第３のサブ横リブ１７Ｃとの間で連続して延びている。一方、第２のサブ縦リブ１８Ｂは、ハンドルサイドリブ１３と第１のサブ縦リブ１８Ａとの間の略中央に配置され、第１のサブ横リブ１７Ａと中間横リブ１６Ｂとの間が分断されている。
【００３０】
第１のサブ縦リブ１８Ａとメインサイドリブ１４とには、ハンドルサイドリブ１３の分断部１３Ａとの対向位置に矩形の貫通孔がそれぞれ形成され、それら貫通孔の開口縁の間がカバー壁１９によって連絡されている。また、そのカバー壁１９の一端部は、図５に示すようにメインサイドリブ１４より外側に僅かに突出している。
【００３１】
第１側壁１１のうち１対のハンドルサイドリブ１３，１３と、上端横リブ１６Ａ及び中間横リブ１６Ｂとに四方を囲まれた部分は、操作部カバー４２で覆われると共に操作部カバー４２の内側に操作部材４１が組み付けられて、本発明に係るロック解除操作部４１Ｓになっている。また、操作部カバー４２の横方向の中央部分には、上端から下端寄り位置に亘って操作窓部４２Ｗが形成され、操作部材４１の一部が操作窓部４２Ｗを通して露出している。操作部材４１は、操作部カバー４２内において第１側壁１１の横方向を向いた回動軸を中心に回動可能に支持されると共に、図示しない弾性片を一体に備えて回動範囲の一端側のロック位置に付勢されている。そして、操作部材４１は、操作窓部４２Ｗから露出した部分を下方に押圧されると回動してロック解除位置まで移動する。
【００３２】
左右の両第１のサブ横リブ１７Ａ，１７Ａと中間横リブ１６Ｂとの間には、それぞれロックバー４０，４０が収容されている。各ロックバー４０の先端部は、カバー壁１９内側に挿通される一方、各ロックバー４０の基端部は、ハンドルサイドリブ１３の分断部１３Ａを通して操作部カバー４２の内側に受容され、操作部材４１にカム連結されている。そして、操作部材４１のロック位置とロック解除位置との間の移動に連動して、ロックバー４０が第１側壁１１の横方向に直動し、各ロックバー４０の先端部がカバー壁１９の端部から外側に突出したロック位置（図５参照）と、そのロック位置に比べて各ロックバー４０の先端部がカバー壁１９側に退避したロック解除位置との間を移動する。また、本実施形態では、ロックバー４０のうちロック位置でカバー壁１９から突出する部分がロック係合部４０Ｔになっている。
【００３３】
そのロック係合部４０Ｔには、サイド突壁２２側を向く側に摺接斜面４０Ｇ（図５参照）が備えられている。摺接斜面４０Ｇは、ロックバー４０の先端に向かうに従ってサイド突壁２２から離れるように傾斜している。これにより、起立姿勢の第２側壁２１，２１のサイド突壁２２，２２に向けて第１側壁１１を回動させると、各ロック係合部４０Ｔの摺接斜面４０Ｇが、第２側壁２１の門形突部２４（図４参照）における先端連絡部２４Ｂに摺接する。そして、ロックバー４０がロック解除位置に一度移動してからロック位置に復帰し、ロック係合部４０Ｔが門形突部２４に係合する。これにより、第１側壁１１の起立姿勢からの回動が規制される。また、ロック解除操作部４１Ｓを操作して（即ち、操作部材４１を押し下げ操作して）操作部材４１をロック解除位置に移動させると、ロック係合部４０Ｔと門形突部２４との係合が解除されて、第１側壁１１を起立姿勢から折畳姿勢へと回動することができる。
【００３４】
図８に示すように、中間横リブ１６Ｂのうちハンドルサイドリブ１３，１３に挟まれた部分の下面には、指掛突部４４が設けられている。指掛突部４４は、中間横リブ１６Ｂの下面のうち１対のハンドルサイドリブ１３，１３から中央寄りに離れた位置に配置され、中間横リブ１６Ｂの先端縁に沿って横方向に延びた突条の両端部を中間横リブ１６Ｂの基端側に直角に折り曲げた形状をなしている。これにより、例えば、指掛突部４４に人差指と中指とを掛けて、親指で操作部材４１を容易に押し下げることができる。また、中間横リブ１６Ｂのうちハンドルサイドリブ１３，１３に挟まれた部分における指掛突部４４の両側には、１対のハンドルストッパ部４３Ｓ，４３Ｓと、１対の三角リブ４３，４３とが形成されている。１対のハンドルストッパ部４３Ｓ，４３Ｓは、中間横リブ１６Ｂの先端の下側角部を面取りしてなり、次述するハンドル５０の１対のアーム部５２，５２がこれらハンドルストッパ部４３Ｓ，４３Ｓに当接して位置決めされる。また、１対の三角リブ４３，４３は、第１側壁１１の外面と中間横リブ１６Ｂの下面とを連絡した構造をなし、１対のハンドルストッパ部４３Ｓ，４３Ｓを補強している。
【００３５】
図１に示すように、第１側壁１１におけるハンドルサイドリブ１３，１３の間には、本発明に係るハンドル５０が備えられている。図６（Ａ）に示すように、ハンドル５０は、第１側壁１１の横方向に延びた手掛部５１の両端部から上方にアーム部５２，５２を延ばしたＵ字形状をなしている。
【００３６】
ハンドル５０の表側面５０Ｆは、手掛部５１とアーム部５２，５２との全体に亘って面一な平面になっている。また、図６（Ｂ）に示すように、ハンドル５０の裏側面５０Ｂは、下端部を除く全体的が表側面５０Ｆと並行な平面になっていて、その下端部（詳細には、手掛部５１の上下方向における略中央より下側全体）が、下方に向かうに従って表側面５０Ｆ側に接近した本発明に係る下端ガイド面５１Ｓになっている。さらに、アーム部５２，５２の上端面は、半円弧面５２Ｅになっている。なお、裏側面５０Ｂ全体（下端ガイド面５１Ｓを含む）には、複数の軽量孔５０Ａが陥没形成されている。
【００３７】
１対のアーム部５２，５２の上端部外側面からは、互いに離れる側に向かって１対の回動軸突部５３，５３が突出している。回動軸突部５３は、アーム部５２の上端部外側面から突出した円柱部５３Ａに摺接ガイド面５３Ｇと抜止突部５３Ｔとを形成してなる。そして、各回動軸突部５３は、円柱部５３Ａの外周面がアーム部５２の上端部においては、図７に示すように、アーム部５２の半円弧面５２Ｅと面一になるように配置されている。
【００３８】
摺接ガイド面５３Ｇは、円柱部５３Ａの上下方向における中間位置で円柱部５３Ａの先端面５３Ｈと交差し、その先端面５３Ｈからアーム部５２に接近するに従い斜め上方に向かうように傾斜している。また、摺接ガイド面５３Ｇにおけるアーム部５２側の端部は、緩やかに湾曲して円柱部５３Ａの外周面に繋がっている。
【００３９】
抜止突部５３Ｔは、円柱部５３Ａの先端面５３Ｈからアーム部５２側に向かって徐々に拡径しかつ上記した摺接ガイド面５３Ｇにより一部が切除された円錐形をなし、その大径端部が面取りされて均一外径部５３Ｓになっている。なお、前記した摺接ガイド面５３Ｇは、抜止突部５３Ｔ（均一外径部５３Ｓを含む）よりアーム部５２に近づいた位置まで延びている。
【００４０】
図８に示すように、１対のハンドルサイドリブ１３，１３には、ハンドル５０の１対の回動軸突部５３，５３を回動可能に受容する１対の支持孔１３Ｂ，１３Ｂが貫通形成されている。各支持孔１３Ｂは、ハンドルサイドリブ１３のうち第２と第３のサブ横リブ１７Ｂ，１７Ｃに挟まれた部分に配置され、前述した回動軸突部５３の円柱部５３Ａより僅かに大きな円形になっている。なお、本実施形態では、第２と第３のサブ横リブ１７Ｂ，１７Ｃが本発明に係る「補強リブ」に相当する。
【００４１】
また、ハンドルサイドリブ１３のうち第２と第３のサブ横リブ１７Ｂ，１７Ｃに挟まれた部分には、支持孔１３Ｂより第１側壁１１の外面から離れる側を、ハンドル５０と反対側に肉盛りして支持補強部１３Ｄが形成されている。そして、図９に示すように、支持補強部１３Ｄのうちハンドルサイドリブ１３に臨んだ部分には、ハンドルサイドリブ１３の内面より僅かに大きな同心の円弧面１３Ｅが形成されている。さらに、ハンドルサイドリブ１３のうち第２と第３のサブ横リブ１７Ｂ，１７Ｃに挟まれた先端部には、ハンドル５０側の角部を面取りして面取斜面１３Ｃが形成されている。
【００４２】
ハンドル５０を第１側壁１１に取り付けるには、アーム部５２を第１側壁１１の外面に対して垂直にして摺接ガイド面５３Ｇ，５３Ｇ（図６（Ａ）参照）を、１対のハンドルサイドリブ１３，１３の面取斜面１３Ｃ，１３Ｃに押し付ければよい。すると、それらの摺接によってアーム部５２，５２が先端部間を狭めるように弾性変形して１対のハンドルサイドリブ１３，１３の間に押し込められる。このとき、各回動軸突部５３の中心軸は、各支持孔１３Ｂの中心軸に対して斜めになるので各回動軸突部５３が抜止突部５３Ｔ側から各支持孔１３Ｂに突入する。そして、アーム部５２，５２が弾性復元することで、図１０に示すように、回動軸突部５３の中心軸がハンドルサイドリブ１３の中心軸と平行になり、抜止突部５３Ｔがハンドルサイドリブ１３の開口縁に係止した状態になる。これにより、ハンドル５０が第１側壁１１に回動可能に支持される。
【００４３】
上記したように回動可能に支持されたハンドル５０は、手を掛けなければ、図１１に示すように、自重により支持孔１３Ｂの下方に垂れて第１側壁１１の外面に重なった不使用状態になる。また、ハンドル５０は、手を掛けて引き上げると、指掛突部４４，４４に当接して、図１２に示すように第１側壁１１の外面からハンドル５０が斜め上方に突出した位置に位置決めされる。
【００４４】
本実施形態の折畳コンテナー１０の構成に関する説明は以上である。次に、本実施形態の作用・効果について説明する。本実施形態の折畳コンテナー１０では、ハンドル５０，５０は、手を掛けなければ、上記したように自重により第１側壁１１，１１の外面に重なった不使用状態なるので邪魔にならず、また、折畳コンテナー１０を組立状態から折畳状態にする際にも、ハンドル５０が邪魔になることはない（図３参照）。逆に、図１３に示すように、折畳コンテナー１０を折畳状態から組立状態にする過程では、ハンドル５０を使用することで第１側壁１１を容易に起こすことができる。また、不使用状態のハンドル５０は、第１側壁１１の外面から突出した１対のハンドルサイドリブ１３，１３の間に収まって保護されているので、ハンドル５０の破損や変形が防がれる。
【００４５】
さらには、ハンドル５０の下端部に下端ガイド面５１Ｓが設けたことにより、図１１に示すように、不使用状態のハンドル５０の手掛部５１の下端部と第１側壁１１の外面との間には、上方に向かうに従って狭くなった隙間が形成される。これにより、その隙間に下方から手を差し込むだけで、ハンドル５０の下端ガイド面５１Ｓと手との摺接してハンドル５０が回動し、ハンドル５０を容易に不使用状態から使用状態に変更することができる。
【００４６】
また、ハンドル５０を引き上げて回動させるとハンドルストッパ部４３Ｓ，４３Ｓに当接して、図１２に示すように第１側壁１１の外面から斜め上方に突出した位置に位置決めされるので、ハンドル５０の手掛部５１と第１側壁１１の外面との間に指を廻すスペースが確保され、手掛部５１を容易に握ることができる。これらにより、ハンドル５０を使用して折畳コンテナー１０の持ち上げ作業を容易に行うことができる。また、ハンドル５０を備えたことで、従来の折畳コンテナーの手差孔に相当する貫通孔を第１側壁１１に設けずに済み、折畳コンテナー１０の強度が高くなると共に手が荷物に接触することを防ぐことができる。また、ハンドル５０を回動可能に支持する両ハンドルサイドリブ１３，１３における支持孔１３Ｂ，１３Ｂの開口縁を、第２と第３のサブ横リブ１７Ｂ，１７Ｃにて補強しているのでハンドル５０の支持が安定する。また、ハンドルサイドリブ１３，１３と第２と第３のサブ横リブ１７Ｂ，１７Ｃとによって第１側壁１１が補強されて変形し難くなるので、この点においても、ハンドル５０の支持が安定する。
【００４７】
ところで、第１側壁１１は、上端部より上下方向の中間部の方が変形し難い。なぜなら、第１側壁１１は、下端部が底壁３０に連結していて内外の方向への変形が規制され、上端部は、そのような規制がないからである。これに対し、本実施形態では、第１側壁１１の上端部ではなく、上下方向における中間部にハンドル５０を取り付けたので、この点においてもハンドル５０の支持が安定する。また、ハンドル５０は、ロック解除操作部４１Ｓの真下に配置されているので、誤ってロック解除操作部４１Ｓに手を掛けて折畳コンテナー１０を持ち上げる事態が防がれ、ロック解除操作部４１Ｓの変形や誤操作が防がれる。
【００４８】
［第２実施形態］
本実施形態は、図１４〜図１６に示されており、ハンドル６０の形状と第１側壁１１におけるハンドル６０の回りのリブ形状が第１実施形態と異なる。具体的には、図１６（Ａ）に示すように、ハンドル６０は、横方向の延びた手掛部６１の両端部から１対の第１アーム部６２，６２が斜め側方に開脚するように延び、さらに、それら第１アーム部６２，６２の上端部から１対の第２アーム部６３，６３が互いに離れる方向に延びた形状をなしている。そして、両第２アーム部６３，６３の先端面の上端部に、前記第１実施形態と同形状の１対の回動軸突部５３，５３が突出形成されている。また、図１６（Ｂ）に示すように、このハンドル６０も互いに並行な表側面６０Ｆと裏側面６０Ｂとを有し、裏側面６０Ｂの下端部が手掛部６１Ｓになっている。
【００４９】
本実施形態では、第２と第３のサブ横リブ１７Ｂ，１７Ｃが、第１側壁１１の左右両側で、メインサイドリブ１４から第２のサブ縦リブ１８Ｂまで延び、各第２のサブ縦リブ１８Ｂのうち第２と第３のサブ横リブ１７Ｂ，１７Ｃに挟まれた部分に、前記第１実施形態の同様の支持孔１３Ｂ、支持補強部１３Ｄ、面取斜面１３Ｃが形成されている。そして、ハンドル６０の１対の回動軸突部５３，５３が、両第２のサブ縦リブ１８Ｂの支持孔１３Ｂ，１３Ｂに回動可能に支持されている。
【００５０】
第３のサブ横リブ１７Ｃの下方には、それと平行に第４のサブ横リブ１７Ｄが設けられ、第２のサブ縦リブ１８Ｂの下端部がその第４のサブ横リブ１７Ｄに連絡されている。また、第４のサブ横リブ１７Ｄは、ハンドル６０における第２アーム部６３の下面に沿って第２のサブ縦リブ１８Ｂより第１側壁１１の横方向の中央側に延長されている。さらに、ハンドル６０における第１アーム部６２の側面に沿うように、第４のサブ横リブ１７Ｄの先端から斜め下方に傾斜リブ７０Ａが延び、また、傾斜リブ７０Ａの下端部から下端横リブ１６Ｃまで鉛直下方に縦リブ７０Ｂが延びている。さらに、本実施形態では、ハンドルストッパ部４３Ｓ，４３Ｓがロック解除操作部４１Ｓの下面の指掛突部４４から両第２のサブ縦リブ１８Ｂ，１８Ｂまで延び、それら両第２のサブ縦リブ１８Ｂ，１８Ｂの下方に三角リブ４３が複数ずつ設けられている。そして、ハンドル６０の手掛部６１に手を掛けて引き上げると、ハンドルストッパ部４３Ｓ，４３Ｓ又は三角リブ４３群が、第１又は第２のアーム部６２，６３に当接して、図１５に示すようにハンドル６０が第１側壁１１から斜め上方に突出した位置に位置決めされる。
【００５１】
なお、本実施形態では、１対ずつの第２のサブ縦リブ１８Ｂ，１８Ｂと第４のサブ横リブ１７Ｄ，１７Ｄと傾斜リブ７０Ａ，７０Ａとから、本発明に係る「１対のハンドルサイドリブ」が構成されている。
【００５２】
本実施形態の折畳コンテナー１０Ｖによれば、前記第１実施形態の折畳コンテナー１０より更にハンドル６０の支持が安定するという効果を奏する。具体的には、第１側壁１１は、横方向の中央部より両側部寄り位置の方が変形し難い。なぜなら、第１側壁１１は、両側部が第２側壁２１，２１に連結していて内外の方向への変形が規制され、横方向の中間部は、そのような規制がないからである。これに対し、本実施形態の折畳コンテナー１０Ｖでは、ハンドル６０を横長にして、その回動支持部分を、第１側壁１１の横方向における端部寄りに配置したので、ハンドル６０の支持が安定する。
【００５３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５４】
（１）前記第１実施形態では、１対の第１側壁１１，１１と１対の第２側壁２１，２１のうち、折畳状態にする際に先に折り畳まれる１対の第１側壁１１，１１にハンドル５０が取り付けられていたが、後に折り畳まれる１対の第２側壁２１，２１にハンドル５０を取り付けてもよいし、４つの側壁の全てにハンドルを取り付けてもよい。
【００５５】
（２）前記第１実施形態のハンドル５０は、自重により第１側壁１１の外面に重ねられた不使用状態になったが、弾性部材にてハンドルを不使用状態に付勢してもよい。
【００５６】
（３）前記第１実施形態では、ハンドルサイドリブ１３のうち支持孔１３Ｂを間に挟んだ上下の両側に本発明の補強リブに相当する第２と第３のサブ横リブ１７Ｂ，１７Ｃが連絡されていたが、ハンドルサイドリブのうち支持孔の上側又は下側の一方のみに、本発明の補強リブを連絡した構造にしてもよい。
【００５７】
（４）前記第１実施形態の折畳コンテナー１０は、第１側壁１１，１１同士及び第２側壁２１，２１同士が重ならずに折り畳まれる構成のものであったが、第１側壁同士又は第２側壁同士が重なって折り畳まれる折畳コンテナーに本発明を適用してもよい。
【００５８】
（５）前記第１実施形態の折畳コンテナー１０では、ロックバー４０，４０が門形突部２４，２４に横方向から係合して第１と第２の側壁１１，２１同士を係合し、ロック解除操作部４１Ｓを操作することで、ロックバー４０，４０が横方向の中央側に直動して係合が解除される構成になっていたが、側壁同士の係合構造はこれに限定されるものではなく、例えば門形突部２４の代わりに下向きフック形状の被係合部を第２側壁に設けると共に、ロックバーを操作部材に一体形成して被係合部に下方から係合させ、操作部材の操作によりロックバーを下方に移動することで係合を解除する構成にしてもよい。また、図１７に示すように、第２側壁２１Ｗの横方向の端部に可撓片８０を設け、その可撓片８０の先端に備えたロック突部８１が、サイド突壁２２と反対側から第１側壁１１Ｗの側縁部９０に係合して第１側壁１１Ｗを起立姿勢にロックする構成にしておき、第１側壁１１Ｗのロック解除操作部を操作することで、ロックバー４０Ｗがロック突部８１を外側に押圧して側縁部９０との係合を解除するようにしてもよい。
【符号の説明】
【００５９】
１０，１０Ｖ    折畳コンテナー
１１    第１側壁
１３    ハンドルサイドリブ
１３Ｂ  支持孔
１７Ｂ  第２のサブ横リブ（補強リブ）
１７Ｃ  第３のサブ横リブ（補強リブ）
２１    第２側壁
２４    門形突部（被係合部）
４０Ｔ  ロック係合部
４１Ｓ  ロック解除操作部
５０，６０    ハンドル
５３    回動軸突部
７０Ａ    傾斜リブ
【図１】
2015051775.tif 000003
【図２】
2015051775.tif 000004
【図３】
2015051775.tif 000005
【図４】
2015051775.tif 000006
【図５】
2015051775.tif 000007
【図６】
2015051775.tif 000008
【図７】
2015051775.tif 000009
【図８】
2015051775.tif 000010
【図９】
2015051775.tif 000011
【図１０】
2015051775.tif 000012
【図１１】
2015051775.tif 000013
【図１２】
2015051775.tif 000014
【図１３】
2015051775.tif 000015
【図１４】
2015051775.tif 000016
【図１５】
2015051775.tif 000017
【図１６】
2015051775.tif 000018
【図１７】
2015051775.tif 000019